(57)【要約】【課題】脹脛の血流不良に起因するむくみ、肩凝り、腰痛、不眠、血栓症等を防止する血流改善には、立ったまま、つま先立ち又は踵立ちの体形を足に成すことがよいといわれている。しかし、これを楽且つスムーズに行うことは、容易ではなく、また、周囲に人の多い機内、車内、職場等では、人が受ける迷惑を考えると、行いにくいものであった。本発明は、上記の問題を解決するためのものである。【解決手段】その上部に、押揉ピンが立設されている支台に、上記押揉ピンの貫通と変位を可能とする長孔が形成された足載板を、枢支部を介して枢着し、且つその大きさは、成人の足裏範囲に収まる小型なものとし、腰を掛けた姿勢のままで、載せた足で足載板のシーソーを可能なものとした器具を構成する。【選択図】図２
2010005358.tif 000002
【特許請求の範囲】
【請求項１】
上部に押揉ピンが立設されている支台と、上記押揉ピンの貫通と変位を可能とする長孔を有する足載板とをシーソー可能に軸着し、且つ、その大きさは成人の足裏範囲内に収まるものとし、腰を掛けた姿勢のままでも、載せた足で足載板のシーソーを可能なものとした足裏揉み対応の脹脛血流改善器。
【請求項２】
支台上部に立設している押揉ピンの上方への突出度合いを調節可能なものとした請求項１に記載の足裏揉み対応の脹脛血流改善器。
【請求項３】
その上面に複数の押揉ピンを立設した足載板を、その下部に位置する支台にシーソー可能に軸着し、且つ、その大きさは、成人の足裏範囲内に収まるものとし、腰を掛けた姿勢のままでも、載せた足による足載板のシーソーが可能なものとした足裏揉み対応の脹脛血流改善器。
【発明の詳細な説明】
【技術分野】
【０００１】  本発明は、シーソー機構の採用とその小型・軽量化を図ることにより、脹脛の血流改善はもとより、全身の血流改善と内臓の活性化も容易に行えるものとし、また、その小型・軽量化により、負担の少ない携帯を可能にすると共に、機内や車内及びデスクワークの現場等でも、周囲の迷惑になることなく、座席（椅子）に掛けた姿勢のままで用いることができるものとした民間療法としての足裏揉み対応の脹脛血流改善器に関する。
【背景技術】
【０００２】  近年、脹脛のむくみや肺動脈血栓塞栓症（エコノミークラス症候群ともいう）に関する関心が高まっている。これは、長時間足を下げて動きの少ない姿勢を続けていると、脹脛の血流に停滞が起き、むくみの発生の外、腰痛、肩こり、冷え、不眠等が発症し、更には、血栓の発生から肺動脈血栓塞栓症へと進み、死亡する人が多いからであり、見過ごしのできない問題である。【０００３】  これは、長時間の航空機への搭乗や列車への乗車の外、デスクワーク等で長時間足を下げている人（特に女性）に多く発症しているという。また、足を下げた生活による例としては、平成１７年の新潟県中越地震で、自家用車で起居した人に血栓症が多く発生し、その内の３人の方はなくなっている。また、その後の中越沖地震でも、避難生活をする人に血栓症が多く発見されている。【０００４】  この対策として、従来は、歩くことや脹脛を揉むことが奨励されてきた。しかし、近年では、歩くことの外、つま先立ち又は踵立ちの体形を足に成すことにより脹脛の筋肉の収縮と弛緩を図り、このときに発生する筋肉圧で血流改善を成すことがよいという情報が多くなっている。ＮＨＫ総合ＴＶ・ためしてガッテン（平成１９年２月）によれば、つま先立ち又は踵立ちによる手段は、手で脹脛を直に揉む手段に比べ、１０倍余りの血流改善機能があるという。【０００５】  脹脛の血流改善に対応の先行技術には、電力を用いて、エアバッグ等で脹脛を包むようして揉む器具は多いが、つま先立ち又は踵立ちの体形を足に成すことによって血流改善を図る先行の技術は、下記の非特許文献の外には発見していない。【０００６】
【非特許文献】  ピカイチ事典２００８年版５３頁ふくらはぎ板、株式会社カタログハウス。
【０００７】  上記ふくらはぎ板（以下、引例という）は、足踏板がつくる斜面に足を踵立ちの体形にして直立し（図８参照）、これにより脹脛の筋肉を伸ばし、生じる筋肉圧で静脈を押圧して血流を促す器具であり、その大きさは、幅３０．５ｃｍ、奥行３６ｃｍ、高さ（未使用時）は１２ｃｍで、素材は合成樹脂で、重さは１．８ｋｇである。上記引例は、電力を用いない利点はあるものの、その大きさと重さ等から移動（旅行）等に携行するには負担が大きく、また、使用に当たっては、直立の姿勢を必要とするので、座席が隣接する機内や車内では、周囲の迷惑になり易い欠点がある。
【発明の開示】
【発明が解決しようとする課題】
【０００８】  本発明は、脹脛の血流停滞（むくみ）に起因する冷え、腰痛、肩こり、不眠等の外、血栓の発生や肺動脈血栓塞栓症の発症を防止する血流改善（民間療法）を成すためのもので、その手段として、血流改善機能が高いというつま先立ち又は踵立ちの体形を足に成すことによりその解決を図ることにした。【０００９】  しかし、奨励されている上記のつま先立ち又は踵立ちは、素足で立って行うことが奨励されているだけで、これに対応する器具（先行技術）は、上記引例以外には見いだすことができない。また、足のつま先立ち又は踵立ちを生かし、椅子に掛けて用いる器具も見出せない。【００１０】  しかし、器具を用いず素足のままで、つま先立ち又は踵立ちを自力で成すことは、楽且つスムーズにできない欠点があり、日常では持続ができない問題があった。従って、作動の足の重さを支えて、楽且つスムーズにつま先立ちと踵立ちを足に成すことができる器具の出現がのぞまれるところであった。そして、その器具は、座席が隣接している機内や車内でも、周囲の迷惑にならない小さな作動で、有効に機能するものでなければならない。【００１１】  以上に鑑み、本発明では機内や車内で座席に掛けたまま、上記のつま先立ちと踵立ちの体形を足につくる手段として、自足で作動可能な小さなシーソー機構を形成して、これに委ねて脹脛の血流改善ができるものとし、また同時に、該シーソー機構を併用して足裏揉みも可能なものにできないか、についても課題とした。【００１２】  以上を踏まえて、本発明が望むところは、電力を不要とし、自足の小さな作動だけで機能する小型なシーソー機構を構成して、運搬はもとより、使用や始末等でも煩労のない器具とし、いつでもどこでも、周囲に迷惑をかけることなく、必要に応じ、即座且つ簡易に活用することができるものにすることである。
【課題を解決するための手段】
【００１３】  本発明は、上記の課題の解決を図り、以下で示す手段を確立することができた。以下、請求項と対比して、その構成と作用について説明する。【００１４】  本発明は、脹脛の血流改善にすぐれるというつま先立ち又は踵立ちの体形を足に形成することによって、血流改善を図ることとし、その手段として自足で作動する足載板によるシーソー機構の確立と、その小型化によって目的を達成することとした。そのために、支台に長方形の板で成る足載板を軸着し、これを前後にシーソーすることにより、つま先立ち又は踵立ちの体形を足に成し、これにより生じる脹脛の筋肉の収縮・弛緩により、血流の改善を図るものとする。また、足載板は足裏範囲に収まるものとしているが、その長手方向の長さは、概ね足裏の長さの半分程度とした小型なものにする。【００１５】  次に、請求項１に係わる課題解決手段について詳述する。支台は、上面と底面を除く４側面のうち、長手方向の２面は互いに平行に形成し、他の２面はその対面間隔が上方ほど狭くなる側面台形状のものとし、その上部には押揉ピンの立設孔を設け、これに押揉ピンを挿抜可能に立設する。また、支台の底面には底板を接着し、その下面には滑り止めとなる部材を取り付ける。また、上記支台の平行な２面には、後述する足載板を軸着するための軸孔を形設する。【００１６】  足載板には、長方形状の板を用いるが、その長手方向の長さは、足裏の長さの半分程度のものとし、その板面の中央部には、長手方向に長い長孔を形成する。また、長手方向の両サイドの下部には、下方に伸び、且つその対面が平行である逆台形状の枢支部を形成するとともに、その側面には、上記支台の軸孔に対応する軸孔を設ける。【００１７】  なお、上記枢支部は、その強度を高めることとデザイン面から逆台形にしているが、これに限定するものではなく、足載板がシーソー可能且つ的確に支台に軸着ができるものであれば、どんな素材と形状であってもかまわない。【００１８】  上記支台と足載板を枢支部を介して軸着して、一体に組み立てるときは、支台の押揉ピンを足載板の長孔に変位可能且つ上方に突出させて貫通し、次に支台の平行な側面を挟むように足載板の枢支部を被嵌し、軸孔どうしを合わせて軸着し、足載板をシーソー可能なものとする。なお、軸着の支軸には、木ネジやボルト（ナット）を用いる。【００１９】  次に、上記手段の作用について説明する。これを用いるときは、図３（ａ）〜（ｃ）で示す通りに、血流改善をなす足を足載板に載せ、その足で足載板を前後にシーソーする。このシーソーにより、つま先立ち又は踵立ちの体形を足に形成し、これにより、脹脛の収縮と弛緩を図り、その筋肉圧の変化を静脈に加えて血流を改善する。この手段では、つま先立ち又は踵立ちの傾斜角度を約５０°まで可能とするが、仮にこれが若干小さくても、それなりに血流は改善されるので、身体機能の劣る高齢者にも福音である。【００２０】  また、本発明は、足載板のシーソーによる脹脛の血流改善と同時に、押揉ピンは長孔内を往復の変位をするので、擦り揉みによる足裏揉みが可能となる。足裏揉みは、全身の血流改善と内臓の活性化を成すものといわれており、また、脹脛の血流改善の相乗効果となるものともいわれている。なお、図３の（ａ）は、足載板に足を載せた図であり、（ｂ）はつま先立ち（前方傾斜）、（ｃ）は踵立ち（後方傾斜）の足の体形を示した図である。【００２１】  次に、請求項２に係わる課題解決手段について説明する。ここでは、請求項１で示す支台に立設の押揉ピンの上方への突出度を調節可能にするものである。その機構は多数考えられるが、本発明では、実施において低コストで、その上、いつどこにおいても使用者の手で簡易に調節ができる機構のものがのぞましいと考える。【００２２】  以下、上記の押揉ピンの突出度調節機構について図４に基づいて説明する。この突出度調節機構では、押揉ピンの内部を尻部から上方に向け穿孔し、この孔に適合する木ネジ又はボルト等を螺挿し、その螺挿の深浅によって、突出度を調節する手段を示したものである。なお、上記の木ネジとボルトの頭部には、１円玉で回動ができるマイナス溝を設けている。【００２３】  次に、上記押揉ピンの突出度調節に関する作用について説明する。足裏を揉む押揉ピンは、押揉時には若干の強さを感じる突出度を必要とする。また、人はそれぞれの足裏形状（扁平足とか土踏まずとか）をもつので、これにも適する突出度が必要となる。従って、使用に際しては、一度、足載板に足を載せ、押揉ピンの突出度合いの適否を調べ、必要に応じ調節する。これにより、適正な押揉強度が得られるので、血流改善にも有効である上に、快感の伴う足裏押揉が可能となる。【００２４】  請求項３に係わる課題解決手段について説明する。ここでは、足載板に長孔は形設せず、その上面に複数個の押揉ピンを固定して立設し、この足載板を枢支部を介してシーソー可能に支台に軸着した構成のものにする。なお、押揉ピンの数は任意であるが、その立設数が多いときは、その径を小さなものにする。【００２５】  上記の請求項３に係わる解決手段は、請求項１又は２に係わる解決手段よりその構成が簡単で、また、押揉形式も異なり、シーソー作動をする時の足の力が押揉ピンにかかり、これにより押圧するものである。この手段では一点押揉となるが、脹脛の血流改善と同時に、足裏の広い範囲を一度で揉むことができる利点がある。
【発明の効果】
【００２６】  本発明は、素足のままでは持続して行いにくい足のつま先立ち又は踵立ちの体形づくりを、シーソーを可能とする足載板を構成して、これに足の重さを支えさせ、その足で楽且つスムーズにシーソー作動ができるものにし、これにより、脹脛の筋肉の収縮と弛緩を成し、血流改善ができるものにしている。また、本発明では、上記シーソー作動を併用して押揉ピンによる足裏揉みも同時に可能なものにしている。足裏揉みは、全身の血流改善の外、内臓の活性化にも寄与し、脹脛の血流改善の相乗効果にもなるものである。上記の機構とこれらによる効果は、従来技術にはない本発明独自のものである。【００２７】  また、本発明は、腰をかけた姿勢のままで、大きな動作をなすことなく用いることができる器具にするために、その大きさを成人の足裏に収まる程度の小型なものにしている。従って、シーソー作動を成しても足の上下の振幅は、数ｃｍと小さく目立つことが少ない。これは、本発明が前後にシーソーする機構を採用し、その小型化を図った効果であり、長時間にわたる搭乗や乗車・乗船等でも、座席を立つことなく、自席にいて周囲の迷惑とならずに血流対策ができることは、大きな利点であり、特に満席時には福音である。【００２８】  また、上記に限らず、毎日、デスクワークを業務としている人々（特に女性）がもつむくみ、、肩凝り、冷え、腰痛、不眠等の解消のために、机下に常備して置くことも有効である。また、本発明は、全身の血流改善や内臓機能を高める足裏揉みも可能としているので、脹脛の血流改善のためだけではなく、日常の健康管理のための足裏揉み用として、家庭の居間に常備することもよい。【００２９】  本発明は、上記のように至って小型に構成しているので、当然その重量も軽量（木製の場合平均１５０ｇ程度）であり、且つ、電力不要で自足作動なので、携帯はもとより、準備から使用・後始末にいたるまで負担や煩労が少ない。これも、本発明がそのベースにシーソー機構を採用し、足裏範囲内に収まる小型化と軽量化を図った効果である。【００３０】  また、請求項２では、支台に立設の押揉ピンの突出度を調節可能にしているので、人それぞれの足裏体形に合った突出度が設定できることになり、最適な強度の足裏押揉ができるものとして、よりよい快感の獲得と適切な血流改善ができるものにしている。これは本発明の顕著な効果である。【００３１】  請求項３は、任意数の押揉ピンが固着・立設された足載板をシーソーすることにより、点押揉ではあるが足裏の広い範囲を一度に押圧できる利点がある。また、その構成が簡易なので、実施が容易で、且つ低コストである利点のみならず、シーソーを成す足の前後作動と相俟って、従来の単なるイボ踏み押揉とは異なった快感のある押揉が可能となる。
【発明を実施するための最良の形態】
【００３２】  本発明を実施するための最良の形態について、図１〜図３を参照して説明する。本発明を構成する素材としては、主に木材、合成樹脂又は金属等が考えられるが、以下では、木材を素材として接着により実施する場合を例に説明する。なお、合成樹脂又は金属で実施する場合は、成型又は構成の部材を接着（溶接）して実施し、その構成は木材で実施する場合の形状をベースにする。【００３３】  図１における（ａ）と（ｂ）は、最良の形態を説明する分解斜視図で、（ａ）は本発明の上部を、（ｂ）はその下部の構成を示すものである。図における符号１は、長方形状の板で成る足載板で、その中央部には長手方向に長い長孔２が形成されている。また、上記足載板１の長手方向の両サイドには、逆台形で下方に下がる枢支部３が、その内面どうしが互いに平行になるようにして、接着により取り付けられている。また、上記枢支部３の中央下部には、軸孔４がそれぞれ形成されている。【００３４】  図１（ｂ）における５は、上記の足載板１を枢支部３を介してシーソー可能に支える支台で、その上部７と底部とを除いた４側面のうちの長手方向の２側面は互いに平行で、前述足載板１の２個の枢支部３，３がシーソー可能に被嵌ができる幅に構成する。また、支台５には、上記枢支部３の軸孔４に対応する軸孔４４が形成される。また、残る２側面は、その対面が上方ほど狭くなる法面８を形成し、且つその上部７には、押揉ピン６の立設孔９を形成し、これに頭部を丸めた押揉ピン６を着脱可能に立設する。また、支台５の底部には底板１０を接着し、その下面には、滑り止め部材１１を取り付ける。しかし、上記底板１０は取り付けず、若干底面を拡大した支台５のままであってもよい。【００３５】  次に、本発明を一体に組み立てるときは、支台５に立設の押揉ピン６を足載板１の長孔２に挿通して上方に突出させた後、足載板１の枢支部３で支台５の平行な２側面を挟むように支台５に被嵌し、対応の軸孔４，４４を合わせ、これを木ネジ類又はボルト等による支軸１２で軸着する。また、足載板１と底板１０の衝突音の発生を防止するために、足載板１の端部下面にフェルト、ゴム又はスポンジ等の緩衝体１３を貼着してもよい。なお、図２は上記本発明の構成を示す斜視図である。【００３６】  本発明の実施においては、足載板１を長方形板とし、小型化を図るために、長辺（縦）の長さを、載せた足の足裏範囲に収まる１２ｃｍとし、短辺（横）は７ｃｍとする。また、足載板１の中央部には、幅２ｃｍ、長さ８ｃｍ弱の縦長な長孔２を形成し、この中に、その径を１．２ｃｍとする押揉ピン６を上方に突出させて挿通し、シーソーにより往復変位ができるように、枢支部３を介して支台５に軸着する。枢支部３は、厚さ約１ｃｍの板で、ここでは逆台形に下方へ３．５ｃｍ伸ばしたものにしている。木製の場合は接着により形成する。【００３７】  支台５の底部は、長辺が８ｃｍ、短辺が５ｃｍ弱の長方形で、その上部７は縦２．８ｃｍ、横５ｃｍ弱で、支台５の高さは３．５ｃｍである。また、枢支部３も、その台形部分は支台５と略同サイズである。なお、シーソー時の傾斜角度を大きくするため、底板１０は、長辺が足載板１のそれより短くて１０．５ｃｍ、短辺は７ｃｍとする。【００３８】  次に、図３（ａ），（ｂ），（ｃ）に基づいて、その作用について説明する。本発明を用いるときは、図３（ａ）のように足載板１に足１７を載せた後、その足１７で図３（Ｂ），（Ｃ）で示すように足載板１を前後にシーソーをし、これにより、つま先立ちと踵立ちを足１７に成して脹脛の血流を改善する。【００３９】  また、支台５に立設の押揉ぴん６は、足載板１の前後シーソーによって、長孔２内を動くかたち（相対変位）となり、これにより、足裏は擦り揉みされることになる。足裏揉みは、全身の血流改善や内臓機能の活性化をなすといわれており、また、脹脛の血流改善に相乗効果を成すものといわれている。なお、押揉ピン６による足裏揉みは、押揉ピン６が当たる足裏位置を移しながら行えば、足裏の殆どを押揉することが可能となる。
【実施例】
【００４０】  図６（ａ）と（ｂ）は、請求項２（図４）で説明した押揉ピン６の突出度調節に関する別例である。図６（ａ）は、押揉ピン６の側部に、その径を２ｍｍ程度とするピン孔１４をその上下差２ｍｍ程度として斜状に形成し、このピン孔１４のうち、所要のピン孔１４にピン１５を挿設して、支台５に立設することにより、突出度の設定ができるようにしたものである。【００４１】  また、図６（ｂ）は、押揉ピン６と立設孔９のいずれかにに雌・雄のネジを刻み、押揉ピン６を回すことにより突出度を選択できるようにしたもので、ここでは押揉ピン６を雄ネジ（２１）に、立設孔９を雌ネシ（２２）にして実施した場合を例示している。なお、上記図６の（ａ），（ｂ）に係わる作用については、上述の［００２３］と同様であるので、ここでは記載を省略する。
【図面の簡単な説明】
【００４２】
【図１】  （ａ）本発明の構成の上部を示す斜視図である。（ｂ）同構成の下部を示す斜視図である。
【図２】  本発明の全体構成（組立）を示す斜視図である。
【図３】  （ａ）〜（ｃ）本発明の作用を説明する斜視図である。
【図４】  請求項２の押揉ピンの突出度調節機構を示す部分断面図である。
【図５】  足載板上面に複数の押揉ピンを立設した請求項３のを示す図である。
【図６】  （ａ）実施例１の１例を説明する斜視図である。（ｂ）実施例１の１例を示す一部断面の側面図である。
【図７】  引例を説明する斜視図である。
【符号の説明】
【００４３】１，１ａ  足載板
２        長孔
３        枢支部
４，４４  軸孔
５        支台
６，６ａ  押揉ピン
７        上部
９        立設孔
１０      底板
１２      支軸
１４      ピン孔
１５      ピン
２０      マイナス溝
２１      雄ネジ
【図１】
2010005358.tif 000003
【図２】
2010005358.tif 000004
【図３】
2010005358.tif 000005
【図４】
2010005358.tif 000006
【図５】
2010005358.tif 000007
【図６】
2010005358.tif 000008
【図７】
2010005358.tif 000009
【手続補正書】
【提出日】平成21年5月29日(2009.5.29)
【手続補正１】
【補正対象書類名】特許請求の範囲
【補正対象項目名】特許請求の範囲
【補正方法】変更
【補正の内容】
【特許請求の範囲】
【請求項１】  上部に押揉ピンが立設されている支台と、上記押揉ピンの貫通と変位を可能とする長孔を有する足載板とをシーソー可能に軸着し、且つ、その大きさは成人の足裏範囲内に収まるものとし、腰を掛けた姿勢のままでも、載せた足で足載板のシーソーを可能なものとした足裏揉み対応の脹脛血流改善器。
【請求項２】  支台上部に立設している押揉ピンの上方への突出度合いを調節可能なものとした請求項１に記載の足裏揉み対応の脹脛血流改善器。
【手続補正２】
【補正対象書類名】明細書
【補正対象項目名】０００７
【補正方法】変更
【補正の内容】
【０００７】  上記脹脛板（以下、引例という）は、足踏板がつくる斜面に足を踵立ちの体形にして直立し（図７参照）、これにより脹脛の筋肉を伸ばし、生じる筋肉圧で静脈を押圧して血流を促す器具であり、その大きさは、幅３０．５ｃｍ、奥行３６ｃｍ、高さ（未使用時）は１２ｃｍで、素材は合成樹脂で、重さは１．８ｋｇである。上記引例は、電力を用いない利点はあるものの、その大きさと重さ等から移動（旅行）等に携行するには負担が大きく、また、使用に当たっては、直立の姿勢を必要とするので、座席が隣接する機内や車内では周囲の迷惑になり易い欠点がある。
【手続補正書】
【提出日】平成21年7月11日(2009.7.11)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
上部に押揉ピンが立設されている支台と、上記押揉ピンの貫通と変位を可能とする長孔を有する足載板とをシーソー可能に軸着し、且つ、その大きさは成人の足裏範囲内に収まるものとし、腰を掛けた姿勢のままでも、載せた足で足載板のシーソーを可能なものとした足裏揉み対応の脹脛血流改善器。
【請求項２】
支台上部に立設している押揉ピンの上方への突出度合いを調節可能なものとした請求項１に記載の足裏揉み対応の脹脛血流改善器。